(57)【要約】  本発明は、グループコールコンテキストを確立する方法及びシステムを開示し、該方法は、クラスタ進化型パケットコア（ＥＰＣ）とスピーキングライトＵＥが所属している第１の基地局との間でグループコールコンテキストを確立するステップと、クラスタＥＰＣとノンスピーキングコールＵＥが所属している第２の基地局との間でグループコールコンテキストを確立するステップと、を含む。本発明は、さらに、基地局とクラスタＥＰＣを開示する。本発明によって、基地局とクラスタネットワークとの間でグループコールコンテキストを確立することを実現できる。【選択図】図１
2016504878.tif 000002
【特許請求の範囲】
【請求項１】
グループコールコンテキストを確立する方法であって、
クラスタ進化型パケットコア（ＥＰＣ）とスピーキングライトＵＥが所属している第１の基地局との間でグループコールコンテキストを確立するステップと、
クラスタＥＰＣとノンスピーキングコールＵＥが所属している第２の基地局との間でグループコールコンテキストを確立するステップとを含む、方法。
【請求項２】
グループコールコンテキストを確立する前に、さらに、前記スピーキングライトＵＥが、それぞれ前記第１の基地局とクラスタＥＰＣとの間で、ＲＲＣ接続を確立するステップを含むことを特徴とする
請求項１に記載の方法。
【請求項３】
前記クラスタＥＰＣとスピーキングライトＵＥが所属している第１の基地局との間でグループコールコンテキストを確立する前に、さらに、前記ＲＲＣ接続確立と同時に、クラスタＥＰＣが、生成されたグループコールコンテキスト確立要求メッセージを前記第１の基地局へ送信するステップを含むことを特徴とする
請求項２に記載の方法。
【請求項４】
前記クラスタＥＰＣとノンスピーキングライトＵＥが所属している第２の基地局との間でグループコールコンテキストを確立する前に、
前記ＲＲＣ接続確立と同時に、クラスタＥＰＣが、生成されたグループコールコンテキスト確立要求に応じて第２の基地局へグループコールページングメッセージを送信するステップと、
第２の基地局がグループコールページングメッセージを受信した後、自身のカバレッジ内で前記グループコールページングメッセージをブロードキャストするステップと、
第２の基地局のカバレッジ内のノンスピーキングライトＵＥが、グループコールページングメッセージを受信した後、第２の基地局へグループコールページング応答メッセージを返すステップと、
第２の基地局が第１通目のグループコールページング応答メッセージを受信した後、クラスタＥＰＣへグループコールページング応答メッセージを返すステップと、
クラスタＥＰＣがグループコールページング応答メッセージを受信した後、対応する第２の基地局へ前記グループコールコンテキスト確立要求メッセージを送信するステップとを含むことを特徴とする
請求項２に記載の方法。
【請求項５】
前記クラスタＥＰＣとスピーキングライトＵＥが所属している第１の基地局との間でグループコールコンテキストを確立するステップ、又は、前記クラスタＥＰＣとノンスピーキングライトＵＥが所属している第２の基地局との間でグループコールコンテキストを確立するステップは、
第１の基地局又は第２の基地局が前記グループコールコンテキスト確立要求メッセージを受信した後、クラスタグループコールサービスチャネルリソースを確立し、同時に、対応するグループコール無線アクセスベアラを確立するステップと、
第１の基地局又は第２の基地局がクラスタグループコールサービスチャネルリソースの確立を完了した後、クラスタグループコールサービスチャネルリソースを介してグループコール構成メッセージをブロードキャストし、同時に、クラスタＥＰＣへグループコールコンテキスト確立応答メッセージを返し、グループコールコンテキスト確立を完了するステップとを含むことを特徴とする
請求項３又は４に記載の方法。
【請求項６】
前記グループコールコンテキスト確立要求メッセージで運ばれるグループコールコンテキスト内容は、グループコールＩＤ、グループコールモード、グループコール収束最大伝送ビットレート、グループコール無線アクセスベアラリスト、グループコールセキュリティ機能及びグループコールセキュリティキーを有し、
前記グループコール無線アクセスベアラリストは、グループコール無線アクセスベアラＩＤ、サービス品質パラメータ、トランスポート層アドレス、ユニバーサルデータ伝送プラットフォーム（ＧＴＰ）トンネルＩＤ、サービスベアラタイプ及び非アクセス層（ＮＡＳ）パケットを含むことを特徴とする
請求項５に記載の方法。
【請求項７】
前記グループコールコンテキスト確立応答メッセージは、前記グループコールＩＤ、グループコール無線アクセスベアラ確立成功リスト及び／又はグループコール無線アクセスベアラ確立失敗リストを含み、
前記グループコールアクセスベアラ確立成功リストは、グループコール無線アクセスベアラＩＤ、トランスポート層アドレス、及びＧＴＰトンネルＩＤを含み、
前記グループコール無線アクセスベアラ確立失敗リストは、グループコール無線アクセスベアラＩＤ、及び失敗原因を含むことを特徴とする
請求項６に記載の方法。
【請求項８】
グループコールコンテキストを確立するシステムであって、
基地局とクラスタＥＰＣを含み、
前記基地局が第１の基地局と第２の基地局を含み、前記第１の基地局は、スピーキングライトＵＥが所属している基地局であり、前記第２の基地局は、ノンスピーキングライトＵＥが所属している基地局であり、
前記クラスタＥＰＣは、前記第１の基地局とグループコールコンテキストを確立するように構成され、さらに、前記第２の基地局とグループコールコンテキストを確立するように構成される、システム。
【請求項９】
さらに、ＵＥを含み、前記ＵＥは、スピーキングライトＵＥとノンスピーキングライトＵＥを含み、
前記スピーキングライトＵＥは、それぞれ前記第１の基地局とクラスタＥＰＣとの間でＲＲＣ接続を確立するように構成されることを特徴とする
請求項８に記載のシステム。
【請求項１０】
前記クラスタＥＰＣは、さらに、前記ＲＲＣ接続確立と同時に、生成されたグループコールコンテキスト確立要求メッセージを前記第１の基地局へ送信するように構成されることを特徴とする
請求項９に記載のシステム。
【請求項１１】
前記クラスタＥＰＣは、さらに、前記ＲＲＣ接続確立と同時に、生成されたグループコールコンテキスト確立要求メッセージに応じて前記第２の基地局へグループコールページングメッセージを送信するように構成され、
前記第２の基地局は、さらに、グループコールページングメッセージを受信した後、自身のカバレッジ内で前記グループコールページングメッセージをブロードキャストするように構成され、
前記ノンスピーキングライトＵＥは、さらに、グループコールページングメッセージを受信した後、前記第２の基地局へグループコールページング応答メッセージを返すように構成され、
前記第２の基地局は、さらに、第１通目のグループコールページング応答メッセージを受信した後、前記クラスタＥＰＣへグループコールページング応答メッセージを返すように構成され、
前記クラスタＥＰＣは、さらに、グループコールページング応答メッセージを受信した後、前記第２の基地局へ前記グループコールコンテキスト確立要求メッセージを送信するように構成されることを特徴とする
請求項９に記載のシステム。
【請求項１２】
前記第１の基地局又は第２の基地局は、さらに、前記グループコールコンテキスト確立要求メッセージを受信した後、クラスタグループコールサービスチャネルリソースを確立し、同時に、対応するグループコール無線アクセスベアラを確立し、且つクラスタグループコールサービスチャネルリソースの確立を完了した後、クラスタグループコールサービスチャネルリソースを介してグループコール構成メッセージをブロードキャストし、同時に、クラスタＥＰＣへグループコールコンテキスト確立応答メッセージを返し、グループコールコンテキスト確立を完了するように構成されることを特徴とする
請求項１０又は１１に記載のシステム。
【請求項１３】
クラスタＥＰＣであって、
第１のグループコールモジュールと第２のグループコールモジュールを含み、
前記第１のグループコールモジュールは、スピーキングライトＵＥが所属している第１の基地局とグループコールコンテキストを確立するように構成され、
前記第２のグループコールモジュールは、ノンスピーキングライトＵＥが所属している第２の基地局とグループコールコンテキストを確立するように構成される、クラスタＥＰＣ。
【請求項１４】
さらに、前記スピーキングライトＵＥとＲＲＣ接続を確立するように構成される第１のＲＲＣモジュールを含むことを特徴とする
請求項１３に記載のクラスタＥＰＣ。
【請求項１５】
前記第１のグループコールモジュールは、さらに、前記ＲＲＣ接続確立と同時に、生成されたグループコールコンテキスト確立要求メッセージを前記第１の基地局へ送信するように構成されることを特徴とする
請求項１４に記載のクラスタＥＰＣ。
【請求項１６】
前記第２のグループコールモジュールは、さらに、前記ＲＲＣ接続確立と同時に、生成されたグループコールコンテキスト確立要求に応じて前記第２の基地局へグループコールページングメッセージを送信し、且つ第２の基地局から返されたグループコールページング応答メッセージを受信した後、生成されたグループコールコンテキスト確立要求メッセージを前記第２の基地局へ送信するように構成されることを特徴とする
請求項１４に記載のクラスタＥＰＣ。
【請求項１７】
前記第１のグループコールモジュール又は第２のグループコールモジュールは、さらに、前記第１の基地局又は第２の基地局から返されたグループコールコンテキスト確立応答メッセージを受信するように構成されることを特徴とする
請求項１５又は１６に記載のクラスタＥＰＣ。
【請求項１８】
基地局であって、
スピーキングライトＵＥが所属している第１の基地局とノンスピーキングライトＵＥが所属している第２の基地局に分けられ、
前記第１の基地局は、クラスタＥＰＣとグループコールコンテキストを確立するように構成される第３のグループコールモジュールを含み、
前記第２の基地局は、クラスタＥＰＣとグループコールコンテキストを確立するように構成される第４のグループコールモジュールを含む、基地局。
【請求項１９】
前記第１の基地局は、さらに、前記スピーキングライトＵＥとＲＲＣ接続を確立するように構成される第２のＲＲＣモジュールを含むことを特徴とする
請求項１８に記載の基地局。
【請求項２０】
前記第３のグループコールモジュールは、さらに、前記ＲＲＣ接続確立と同時に、クラスタＥＰＣから送信されたグループコールコンテキスト確立要求メッセージを受信するように構成されることを特徴とする
請求項１９に記載の基地局。
【請求項２１】
前記第４のグループコールモジュールは、さらに、前記ＲＲＣ接続確立と同時に、前記クラスタＥＰＣから送信されたグループコールページングメッセージを受信し、グループコールページングメッセージを受信した後、前記第２の基地局のカバレッジ内で前記グループコールページングメッセージをブロードキャストし、且つノンスピーキングライトＵＥから返されたグループコールページング応答メッセージを受信した後、前記クラスタＥＰＣへグループコールページング応答メッセージを送信するように構成され、さらに、前記クラスタＥＰＣがグループコールページング応答メッセージを受信した後、グループコールコンテキスト確立要求メッセージを送信するように構成されることを特徴とする
請求項１９に記載の基地局。
【請求項２２】
前記第３のグループコールモジュール又は第４のグループコールモジュールは、前記クラスタＥＰＣから送信されたグループコールコンテキスト確立要求メッセージを受信した後、クラスタグループコールサービスチャネルリソースを確立し、同時に、対応するグループコール無線アクセスベアラを確立し、クラスタグループコールサービスチャネルリソースの確立を完了した後、クラスタグループコールサービスチャネルリソースを介してグループコール構成メッセージをブロードキャストし、同時に、前記クラスタＥＰＣへグループコールコンテキスト確立応答メッセージを送信するように構成されることを特徴とする
請求項２０又は２１に記載の基地局。
【発明の詳細な説明】
【技術分野】
【０００１】
本発明はＬＴＥクラスタ通信システムに関し、特にグループコールコンテキストを確立する方法、システム、基地局、及びクラスタＥＰＣに関する。
【背景技術】
【０００２】
デジタルクラスタ通信は、専用移動通信スケジューリングシステムとして、チャネル共有と動的割り当てなど技術的特徴を有し、複数の部門、機関などグループユーザに専用の指揮や派遣など通信サービスを提供できる。広帯域移動通信の発展、特に、第４世代移動通信長期進化（ＬＴＥ：Ｌｏｎｇ  Ｔｅｒｍ  Ｅｖｏｌｕｔｉｏｎ）技術の急激な発展に伴い、デジタルクラスタ通信システムに対して、広帯域化、ビデオ化、高速化、スムーズな進化などの多方面の需要も提出されている。このため、ＬＴＥ技術に基づいたクラスタ通信は、現在デジタルクラスタシステム発展の方向である。
【０００３】
クラスタ通信における最も主要なのは、グループコールセッションの確立であり、そしてＬＴＥ技術のセッション確立はグループコールコンテキストの確立に基づいているので、ＬＴＥ技術に基づいたクラスタ通信システムにおける最も主要なのは、グループコールコンテキストの確立を行うことである。クラスタ通信は半二重通信が行われ、且つ、同一セッションが複数のユーザ端末（ＵＥ：Ｕｓｅｒ  Ｅｑｕｉｐｍｅｎｔ）にアクセスすることができるので、ユーザがスピーキングライトとノンスピーキングライトに分けられることができ、スピーキングライトがＵＥを通じてネットワークへグループコールサービスデータを転送し、その後、ネットワークがグループコールサービスデータをブロードキャストの方式で他のノンスピーキングライトのユーザへ送信する。スピーキングライトユーザは進化型基地局（ｅＮＢ：ｅｖｏｌｖｅｄ  Ｎｏｄｅ  Ｂ）との間で無線リソース制御（ＲＲＣ：Ｒａｄｉｏ  Ｒｅｓｏｕｒｃｅ  Ｃｏｎｔｒｏｌ）を確立する必要があるため、スピーキングライトユーザのセッション接続は、ＬＴＥプロトコルに基づくが、ノンスピーキングライトユーザがｅＮＢとＲＲＣ接続を確立する必要がない。
【０００４】
現在、ＬＴＥ技術に基づいたクラスタ通信システムにおいては、基地局とクラスタネットワーク（スピーキングライトユーザとノンスピーキングライトユーザからなるクラスタネットワーク）の間のグループコールコンテキストの確立をサポートできる技術的解決手段がまだない。
【発明の概要】
【０００５】
これを鑑みて、本発明の実施形態の主な目的は、ＬＴＥ技術に基づいたクラスタ通信システムにおいて、基地局とクラスタネットワークの間のグループコールコンテキストの確立を実現することを可能にするために、グループコールコンテキストを確立する方法、システム、基地局、及びクラスタＥＰＣを提供することにある。
【０００６】
前記目的を実現するために、本発明の実施形態の技術的解決手段は、次のように実現される。
【０００７】
本発明の実施形態がグループコールコンテキストを確立する方法を提供し、該方法は、
クラスタ進化型パケットコア（ＥＰＣ）とスピーキングライトＵＥが所属している第１の基地局との間でグループコールコンテキストを確立するステップと、
クラスタＥＰＣとノンスピーキングコールＵＥが所属している第２の基地局との間でグループコールコンテキストを確立するステップとを含む。
【０００８】
好ましくは、グループコールコンテキストを確立する前に、該方法は、さらに、前記スピーキングライトＵＥが、それぞれ前記第１の基地局とクラスタＥＰＣとの間で、ＲＲＣ接続を確立するステップを含む。
【０００９】
好ましくは、前記クラスタＥＰＣとスピーキングライトＵＥが所属している第１の基地局との間でグループコールコンテキストを確立する前に、該方法は、さらに、前記ＲＲＣ接続確立と同時に、クラスタＥＰＣが、生成されたグループコールコンテキスト確立要求メッセージを前記第１の基地局へ送信するステップを含む。
【００１０】
好ましくは、前記クラスタＥＰＣとノンスピーキングライトＵＥが所属している第２の基地局との間でグループコールコンテキストを確立する前に、該方法は、さらに、
前記ＲＲＣ接続確立と同時に、クラスタＥＰＣが、生成されたグループコールコンテキスト確立要求に応じて第２の基地局へグループコールページングメッセージを送信するステップと、
第２の基地局がグループコールページングメッセージを受信した後、自身のカバレッジ内で前記グループコールページングメッセージをブロードキャストするステップと、
第２の基地局のカバレッジ内のノンスピーキングライトＵＥが、グループコールページングメッセージを受信した後、第２の基地局へグループコールページング応答メッセージを返すステップと、
第２の基地局が第１通目のグループコールページング応答メッセージを受信した後、クラスタＥＰＣへグループコールページング応答メッセージを返すステップと、
クラスタＥＰＣがグループコールページング応答メッセージを受信した後、対応する第２の基地局へ前記グループコールコンテキスト確立要求メッセージを送信するステップとを含む。
【００１１】
好ましくは、前記クラスタＥＰＣとスピーキングライトＵＥが所属している第１の基地局との間でグループコールコンテキストを確立するステップ、又は、前記クラスタＥＰＣとノンスピーキングライトＵＥが所属している第２の基地局との間でグループコールコンテキストを確立するステップは、
第１の基地局又は第２の基地局が前記グループコールコンテキスト確立要求メッセージを受信した後、クラスタグループコールサービスチャネルリソースを確立し、同時に、対応するグループコール無線アクセスベアラを確立するステップと、
第１の基地局又は第２の基地局がクラスタグループコールサービスチャネルリソースの確立を完了した後、クラスタグループコールサービスチャネルリソースを介してグループコール構成メッセージをブロードキャストし、同時に、クラスタＥＰＣへグループコールコンテキスト確立応答メッセージを返し、グループコールコンテキスト確立を完了するステップとを含む。
【００１２】
好ましくは、前記グループコールコンテキスト確立要求メッセージで運ばれるグループコールコンテキスト内容は、グループコールＩＤ、グループコールモード、グループコール収束最大伝送ビットレート、グループコール無線アクセスベアラリスト、グループコールセキュリティ機能及びグループコールセキュリティキーを有する。
【００１３】
前記グループコール無線アクセスベアラリストは、グループコール無線アクセスベアラＩＤ、サービス品質パラメータ、トランスポート層アドレス、ユニバーサルデータ伝送プラットフォーム（ＧＴＰ）トンネルＩＤ、サービスベアラタイプ及び非アクセス層（ＮＡＳ）パケットを含む。
【００１４】
好ましくは、前記グループコールコンテキスト確立応答メッセージは、前記グループコールＩＤ、グループコール無線アクセスベアラ確立成功リスト及び／又はグループコール無線アクセスベアラ確立失敗リストを含み、
前記グループコールアクセスベアラ確立成功リストは、グループコール無線アクセスベアラＩＤ、トランスポート層アドレス、及びＧＴＰトンネルＩＤを含み、
前記グループコール無線アクセスベアラ確立失敗リストは、グループコール無線アクセスベアラＩＤ、及び失敗原因を含む。
【００１５】
本発明の実施形態が、さらに、グループコールコンテキストを確立するシステムを提供し、該システムは、基地局とクラスタＥＰＣを含み、
前記基地局が第１の基地局と第２の基地局を含み、前記第１の基地局は、スピーキングライトＵＥが所属している基地局であり、前記第２の基地局は、ノンスピーキングライトＵＥが所属している基地局であり、
前記クラスタＥＰＣは、前記第１の基地局とグループコールコンテキストを確立するように構成され、さらに、前記第２の基地局とグループコールコンテキストを確立するように構成される。
【００１６】
好ましくは、該システムは、さらに、ＵＥを含み、前記ＵＥは、スピーキングライトＵＥとノンスピーキングライトＵＥを含み、
前記スピーキングライトＵＥは、それぞれ前記第１の基地局とクラスタＥＰＣとの間でＲＲＣ接続を確立するように構成される。
【００１７】
好ましくは、前記クラスタＥＰＣは、さらに、前記ＲＲＣ接続確立と同時に、生成されたグループコールコンテキスト確立要求メッセージを前記第１の基地局へ送信するように構成される。
【００１８】
好ましくは、前記クラスタＥＰＣは、さらに、前記ＲＲＣ接続確立と同時に、生成されたグループコールコンテキスト確立要求メッセージを前記第２の基地局へグループコールページングメッセージを送信するように構成され、
前記第２の基地局は、さらに、グループコールページングメッセージを受信した後、自身のカバレッジ内で前記グループコールページングメッセージをブロードキャストするように構成され、
前記ノンスピーキングライトＵＥは、さらに、グループコールページングメッセージを受信した後、前記第２の基地局へグループコールページング応答メッセージを返すように構成され、
前記第２の基地局は、さらに、第１通目のグループコールページング応答メッセージを受信した後、前記クラスタＥＰＣへグループコールページング応答メッセージを返すように構成され、
前記クラスタＥＰＣは、さらに、グループコールページング応答メッセージを受信した後、前記第２の基地局へ前記グループコールコンテキスト確立要求メッセージを送信するように構成される。
【００１９】
好ましくは、前記第１の基地局又は第２の基地局は、さらに、前記グループコールコンテキスト確立要求メッセージを受信した後、クラスタグループコールサービスチャネルリソースを確立し、同時に、対応するグループコール無線アクセスベアラを確立し、且つクラスタグループコールサービスチャネルリソースの確立を完了した後、クラスタグループコールサービスチャネルリソースを介してグループコール構成メッセージをブロードキャストし、同時に、クラスタＥＰＣへグループコールコンテキスト確立応答メッセージを返し、グループコールコンテキスト確立を完了するように構成される。
【００２０】
クラスタＥＰＣであって、第１のグループコールモジュールと第２のグループコールモジュールを含み、
前記第１のグループコールモジュールは、スピーキングライトＵＥが所属している第１の基地局とグループコールコンテキストを確立するように構成され、
前記第２のグループコールモジュールは、ノンスピーキングライトＵＥが所属している第２の基地局とグループコールコンテキストを確立するように構成される。
【００２１】
好ましくは、前記クラスタＥＰＣは、さらに、前記スピーキングライトＵＥとＲＲＣ接続を確立するように構成される第１のＲＲＣモジュールを含む。
【００２２】
好ましくは、前記第１のグループコールモジュールは、さらに、前記ＲＲＣ接続確立と同時に、生成されたグループコールコンテキスト確立要求メッセージを前記第１の基地局へ送信するように構成される。
【００２３】
好ましくは、前記第２のグループコールモジュールは、さらに、前記ＲＲＣ接続確立と同時に、生成されたグループコールコンテキスト確立要求に応じて前記第２の基地局へグループコールページングメッセージを送信し、且つ第２の基地局から返されたグループコールページング応答メッセージを受信した後、生成されたグループコールコンテキスト確立要求メッセージを前記第２の基地局へ送信するように構成される。
【００２４】
好ましくは、前記第１のグループコールモジュール又は第２のグループコールモジュールは、さらに、前記第１の基地局又は第２の基地局から返されたグループコールコンテキスト確立応答メッセージを受信するように構成される。
【００２５】
本発明の実施形態がさらに基地局を提供し、前記基地局は、スピーキングライトＵＥが所属している第１の基地局とノンスピーキングライトＵＥが所属している第２の基地局に分けられ、
前記第１の基地局は、クラスタＥＰＣとグループコールコンテキストを確立するように構成される第３のグループコールモジュールを含み、
前記第２の基地局は、クラスタＥＰＣとグループコールコンテキストを確立するように構成される第４のグループコールモジュールを含む。
【００２６】
好ましくは、前記第１の基地局は、さらに、前記スピーキングライトＵＥとＲＲＣ接続を確立するように構成される第２のＲＲＣモジュールを含む。
【００２７】
好ましくは、前記第３のグループコールモジュールは、さらに、前記ＲＲＣ接続確立と同時に、クラスタＥＰＣから送信されたグループコールコンテキスト確立要求メッセージを受信するように構成される。
【００２８】
好ましくは、前記第４のグループコールモジュールは、さらに、前記ＲＲＣ接続確立と同時に、前記クラスタＥＰＣから送信されたグループコールページングメッセージを受信し、グループコールページングメッセージを受信した後、前記第２の基地局のカバレッジ内で前記グループコールページングメッセージをブロードキャストし、且つノンスピーキングライトＵＥから返されたグループコールページング応答メッセージを受信した後、前記クラスタＥＰＣへグループコールページング応答メッセージを送信するように構成され、さらに、前記クラスタＥＰＣがグループコールページング応答メッセージを受信した後、グループコールコンテキスト確立要求メッセージを送信するように構成される。
【００２９】
好ましくは、前記第３のグループコールモジュール又は第４のグループコールモジュールは、前記クラスタＥＰＣから送信されたグループコールコンテキスト確立要求メッセージを受信した後、クラスタグループコールサービスチャネルリソースを確立し、同時に、対応するグループコール無線アクセスベアラを確立し、クラスタグループコールサービスチャネルリソースの確立を完了した後、クラスタグループコールサービスチャネルリソースを介してグループコール構成メッセージをブロードキャストし、同時に、前記クラスタＥＰＣへグループコールコンテキスト確立応答メッセージを送信するように構成される。
【００３０】
本発明の実施形態が、基地局とクラスタネットワークとの間でグループコールコンテキストを確立する方法、システム、基地局、及びクラスタＥＰＣを開示し、クラスタＥＰＣを介してスピーキングライトＵＥと第１の基地局との間でグループコールコンテキストを確立し、第１の基地局はスピーキングライトＵＥが所属している基地局であり、クラスタＥＰＣを介してノンスピーキングライトＵＥと第２の基地局との間でグループコールコンテキストを確立し、第２の基地局はノンスピーキングライトＵＥが所属している基地局であり、これによって、基地局とクラスタネットワークとの間でグループコールコンテキストを確立するのを実現する。
【図面の簡単な説明】
【００３１】
【図１】図１は、本発明の実施形態に係る基地局とクラスタネットワークとの間でグループコールコンテキストを確立する方法のフローチャートである。
【図２】図２は、本発明の実施形態に係る基地局とクラスタネットワークとの間でグループコールコンテキストを確立するシステムの構造構成を示す図である。
【図３】図３は、本発明の実施形態によって提供されるクラスタＥＰＣ構造構成を示す図である。
【図４】図４は、本発明の実施形態によって提供される基地局構造構成を示す図である。
【発明を実施するための形態】
【００３２】
以下は、図面と具体的な実施例を合わせながら本発明の技術的解決手段に対してさらに詳しく説明する。
【００３３】
本発明の実施形態に係る基地局とクラスタネットワークとの間でグループコールコンテキストを確立する主な考えは、クラスタ進化型パケットコア（ＥＰＣ：Ｅｖｏｌｖｅｄ  Ｐａｃｋｅｔ  Ｃｏｒｅ）とスピーキングライトＵＥが所属している第１の基地局との間でグループコールコンテキストを確立し、クラスタＥＰＣとノンスピーキングライトＵＥが所属している第２の基地局との間でグループコールコンテキストを確立し、それによって、基地局とクラスタネットワークとの間でグループコールコンテキストの確立を実現することである。
【００３４】
一般的に、スピーキングライトＵＥが１つだけあり、それが所属している第１の基地局も１つだけあり、第１の基地局がサービスを提供しているＵＥにもノンスピーキングライトＵＥが存在する可能性があり、複数のノンスピーキングライトＵＥがそれぞれ異なる基地局に属することが可能なので、第２の基地局が複数である可能性がある。
【００３５】
グループコールコンテキストを確立する前に、スピーキングライトＵＥが、まず、それぞれ第１の基地局とクラスタＥＰＣとの間でＲＲＣ接続を確立する必要がある。
【００３６】
ＲＲＣ接続確立と同時に、クラスタＥＰＣが、生成されたグループコールコンテキスト確立要求メッセージを第１の基地局へ送信し、同時に、クラスタＥＰＣが、さらに、生成されたグループコールコンテキスト確立要求に応じて第２の基地局へグループコールページングメッセージを送信し、第２の基地局がグループコールページングメッセージを受信した後、自身のカバレッジ内で前記グループコールページングメッセージをブロードキャストし、第２の基地局のカバレッジ内のノンスピーキングライトＵＥがグループコールページングメッセージを受信した後、第２の基地局へグループコールページング応答メッセージを返し、第２の基地局が第１通目のグループコールページング応答メッセージを受信した後、クラスタＥＰＣへグループコールページング応答メッセージを返し、クラスタＥＰＣがグループコールページング応答メッセージを受信した後、対応する第２の基地局へ前記グループコールコンテキスト確立要求メッセージを送信する。
【００３７】
第１の基地局又は第２の基地局がグループコールコンテキスト確立要求メッセージを受信した後、クラスタグループコールサービスチャネルリソースを確立し、同時に、対応するグループコール無線アクセスベアラを確立し、第１の基地局又は第２の基地局がクラスタグループコールサービスチャネルリソースの確立を完了した後、クラスタグループコールサービスチャネルリソースを介してグループコール構成メッセージをブロードキャストし、同時に、クラスタＥＰＣへグループコールコンテキスト確立応答メッセージを返し、グループコールコンテキスト確立を完了する。
【００３８】
以下は、具体的な実施例で本発明の実施形態の具体的な技術的解決手段を説明する。
【００３９】
図１に示すように、本発明の実施形態に係る基地局とクラスタネットワークとの間でグループコールコンテキストを確立するフローは主に２部分に分けられ、１つは、クラスタＥＰＣとスピーキングライトＵＥが所属している第１の基地局との間でグループコールコンテキスト（ステップＡ１〜Ａ４を含む）を確立することであり、１つは、クラスタＥＰＣとノンスピーキングライトＵＥが所属している第２の基地局との間でグループコールコンテキスト（ステップＢ１〜Ｂ８）を確立することである。グループコールコンテキストを確立する前に、スピーキングライトＵＥがそれぞれ第１の基地局及びクラスタＥＰＣの間でＲＲＣ接続を確立する必要がある。
【００４０】
クラスタＥＰＣとスピーキングライトＵＥが所属している第１の基地局との間でグループコールコンテキストを確立するフローは、以下のステップを含む。
【００４１】
ステップＡ１において、スピーキングライトＵＥと第１の基地局及びクラスタＥＰＣの間でＲＲＣ接続を確立すると同時に、クラスタＥＰＣがグループコールコンテキストの確立を開始し、第１の基地局へグループコールコンテキスト確立要求メッセージを送信する。
【００４２】
スピーキングライトＵＥと第１の基地局及びクラスタＥＰＣの間でＲＲＣ接続を確立する時に、クラスタＥＰＣがスピーキングライトＵＥが所属している基地局、即ち第１の基地局を知ることができる。
【００４３】
ここで、グループコールコンテキスト確立メッセージがクラスタＥＰＣによって生成され、運ばれたグループコールコンテキスト内容は、グループコールＩＤ、グループコールモード、グループコール収束最大伝送ビットレート、グループコール無線アクセスベアラリスト、グループコールセキュリティ機能及びグループコールセキュリティキーを有する。ここで、グループコールＩＤは、今回クラスタがコールする番号であり、あるグループを唯一に識別するためであり、グループコールモードは、今回クラスタコールのタイプであり、１対１又は１対複数である。
【００４４】
ここで、グループコール無線アクセスベアラリストは、グループコール無線アクセスベアラＩＤ、サービス品質パラメータ、トランスポート層アドレス、ユニバーサルデータ伝送プラットフォーム（ＧＴＰ：Ｇｅｎｅｒａｌ  Ｄａｔａ  Ｔｒａｎｓｆｅｒ  Ｐｌａｔｆｏｒｍ）トンネルＩＤ、サービスベアラタイプ及び非アクセス層（ＮＡＳ：Ｎｏｎ−Ａｃｃｅｓｓ  Ｓｔｒａｔｕｍ）パケットなど内容を含む。ここで、グループコールアクセスベアラＩＤは、無線ベアラの番号であり、ある無線ベアラを唯一に識別するためであり、サービスベアラタイプは、今回サービスのタイプを識別するためであり、例えば、データ、音声、ビデオ、オーディオとビデオ、写真などである。
【００４５】
ステップＡ２において、第１の基地局がグループコールコンテキスト確立要求メッセージを受信した後、クラスタグループコールサービスチャネルリソースを確立し、同時に、さらに、グループコール無線アクセスベアラリストに応じて対応するグループコール無線アクセスベアラを確立する必要がある。グループコールサービスのタイプ（サービスベアラタイプによって指示される）が、例えば、データ、音声、ビデオ、オーディオとビデオ、写真など、たくさんあるので、サービスタイプの違いに応じて対応するベアラを確立する必要があり、異なるサービスタイプに対応するベアラが上記グループコール無線アクセスベアラＩＤによって指示される。
【００４６】
ステップＡ３において、第１の基地局がクラスタグループコールサービスチャネルリソースの確立を完了した後、クラスタグループコールサービスチャネルリソースを介してグループコール構成メッセージをブロードキャストし、スピーキングライトＵＥと第１の基地局の他のノンスピーキングライトＵＥがグループコール構成メッセージを受信して対応するグループコール構成を行う。
【００４７】
ステップＡ４において、第１の基地局がグループコール構成メッセージをブロードキャストすると同時に、クラスタＥＰＣへグループコールコンテキスト確立応答メッセージを返し、ここでは、グループコールＩＤ、グループコール無線アクセスベアラ確立成功リスト及び／又はグループコール無線アクセスベアラ確立失敗リストを含む。このグループコールＩＤがグループコールコンテキスト確立要求メッセージ中のグループコールＩＤと同じである。
【００４８】
このクラスタグループコールサービスに対して、たくさんのサービスタイプに対応するベアラを確立した可能性があるので、これらのベアラ確立成功又は失敗の結果も存在するわけであり、相応に、グループコールコンテキスト確立応答メッセージにグループコール無線アクセスベアラ確立成功リスト及び／又はグループコール無線アクセスベアラ確立失敗のリストを運ぶ必要がある。
【００４９】
ここで、グループコール無線アクセスベアラ確立成功リストは、グループコール無線アクセスベアラＩＤ、トランスポート層アドレス、ＧＴＰトンネルＩＤのような内容を含む。
【００５０】
グループコール無線アクセスベアラ確立失敗リストは、グループコール無線アクセスベアラＩＤ、失敗原因のような内容を含む。
【００５１】
クラスタＥＰＣとノンスピーキングライトＵＥが所属している第２の基地局の間でグループコールコンテキストを確立するフローは、次のステップを含む。
【００５２】
ステップＢ１において、スピーキングライトＵＥと第１の基地局との間及びスピーキングライトＵＥとクラスタＥＰＣとの間でＲＲＣ接続を確立すると同時に、クラスタＥＰＣがグループコールコンテキスト確立要求メッセージ中のグループコールＩＤに応じてノンスピーキングライトＵＥが所属している第２の基地局へグループコールページングメッセージを送信する。クラスタＥＰＣは該グループコールＩＤに応じて対応するグループを知ることができ、該グループの情報をクラスタＥＰＣが位置するシステムに記録し、該ステップで注目するのはここに含まれた第２の基地局の情報である。
【００５３】
ステップＢ２において、第２の基地局がグループコールページングメッセージを受信した後、自身のカバレッジ内でこのグループコールページングメッセージをブロードキャストする。
【００５４】
ステップＢ３において、第２の基地局のカバレッジ内のノンスピーキングライトＵＥがグループコールページングメッセージを受信した後、第２の基地局へグループコールページング応答メッセージを返す。
【００５５】
ステップＢ４において、第２の基地局が第１通目のグループコールページング応答メッセージを受信した後、クラスタＥＰＣへグループコールページング応答メッセージを返す。
【００５６】
ステップＢ５において、クラスタＥＰＣへグループコールページング応答メッセージを返した第２の基地局に対して、クラスタＥＰＣがグループコールコンテキスト確立要求メッセージを送信する。このグループコールコンテキスト確立要求メッセージがステップＡ１中のグループコールコンテキスト確立メッセージ中に含まれたグループコールコンテキスト内容と同じ、且つ、グループコールコンテキスト内容中の各パラメータの値も同じである。
【００５７】
ステップＢ６において、第２の基地局がグループコールコンテキスト確立要求メッセージを受信した後、クラスタグループコールサービスチャネルリソースを確立し、同時に、さらに、グループコール無線アクセスベアラリストに応じて対応するグループコール無線アクセスベアラを確立する必要がある。グループコールサービスのタイプ（サービスベアラタイプによって指示される）が、例えば、データ、音声、ビデオ、オーディオとビデオ、写真など、たくさんあるので、サービスタイプの違いに応じて対応するベアラを確立する必要があり、異なるサービスタイプに対応するベアラが上記グループコール無線アクセスベアラＩＤによって指示される。
【００５８】
ステップＢ７において、第２の基地局がクラスタグループコールサービスチャネルリソースの確立を完了した後、クラスタグループコールサービスチャネルリソースを介してグループコール構成メッセージをブロードキャストし、ノンスピーキングライトＵＥがグループコール構成メッセージを受信して対応するグループコール構成を行う。
【００５９】
ステップＢ８において、第２の基地局がグループコール構成メッセージをブロードキャストすると同時に、クラスタＥＰＣへグループコールコンテキスト確立応答メッセージを返し、そのなかは、グループコールＩＤ、グループコール無線アクセスベアラ確立成功リスト及び／又はグループ無線アクセス確立失敗のリストを含む。
【００６０】
このクラスタグループコールサービスに対して、たくさんのサービスタイプに対応するベアラを確立した可能性があるので、これらのベアラ確立成功又は失敗の結果も存在するわけであり、相応に、グループコールコンテキスト確立応答メッセージにグループコール無線アクセスベアラ確立成功リスト及び／又はグループコール無線アクセスベアラ確立失敗のリストを運ぶ必要がある。
【００６１】
ここで、グループコール無線アクセスベアラ確立成功リストは、グループコール無線アクセスベアラＩＤ、トランスポート層アドレス、ＧＴＰトンネルＩＤのような内容を含む。
【００６２】
グループコール無線アクセスベアラ確立失敗リストは、グループコール無線アクセスベアラＩＤ、失敗原因のような内容を含む。
【００６３】
上記方法を実現するために、本発明の実施形態ではさらに、基地局とクラスタネットワークの間でグループコールコンテキストを確立するシステムを提供し、図２に示すように、基地局１０とクラスタＥＰＣ２０を含む。
【００６４】
基地局１０は、第１の基地局１１と第２の基地局１２を含み、第１の基地局１１は、スピーキングライトＵＥが所属している基地局であり、第２の基地局１２は、ノンスピーキングライトＵＥが所属している基地局である。
【００６５】
クラスタＥＰＣ２０は、第１の基地局１１とグループコールコンテキストを確立するように構成され、さらに、第２の基地局１２とグループコールコンテキストを確立するように構成される。
【００６６】
該システムは、さらに、ＵＥ３０を含み、スピーキングライトＵＥ３１とノンスピーキングライトＵＥ３２に分けられ、ここで、スピーキングライトＵＥ３１は、それぞれ第１の基地局１１とクラスタＥＰＣ２０との間でＲＲＣ接続を確立するように構成される。
【００６７】
クラスタＥＰＣ２０は、さらに、前記ＲＲＣ接続確立と同時に、生成されたグループコールコンテキスト確立要求メッセージを第１の基地局１１へ送信するように構成される。
【００６８】
クラスタＥＰＣ２０は、さらに、前記ＲＲＣ接続確立と同時に、生成されたグループコールコンテキスト確立要求メッセージを第２の基地局１２へグループコールページングメッセージを送信するように構成される。
【００６９】
第２の基地局１２は、さらに、グループコールページングメッセージを受信した後、自身のカバレッジ内で前記グループコールページングメッセージをブロードキャストするように構成される。
【００７０】
ノンスピーキングライトＵＥ３２は、さらに、グループコールページングメッセージを受信した後、第２の基地局１２へグループコールページング応答メッセージを返すように構成される。
【００７１】
第２の基地局１２は、さらに、第１通目のグループコールページング応答メッセージを受信した後、クラスタＥＰＣへグループコールページング応答メッセージを返すように構成される。
【００７２】
クラスタＥＰＣ２０は、さらに、グループコールページング応答メッセージを受信した後、第２の基地局１２へグループコールコンテキスト確立要求メッセージを送信するように構成される。
【００７３】
第１の基地局１１又は第２の基地局１２は、さらに、グループコールコンテキスト確立要求メッセージを受信した後、クラスタグループコールサービスチャネルリソースを確立し、同時に、対応するグループコール無線アクセスベアラを確立し、且つクラスタグループコールサービスチャネルリソースの確立を完了した後、クラスタグループコールサービスチャネルリソースを介してグループコール構成メッセージをブロードキャストし、同時に、クラスタＥＰＣ２０へグループコールコンテキスト確立応答メッセージを返し、グループコールコンテキスト確立を完了するように構成される。
【００７４】
上記の方式によって、本発明の実施形態では基地局とクラスタネットワークとの間でグループコールコンテキストを確立することを実現する。
【００７５】
本発明の実施例ではさらに、基地局との間でグループコールコンテキストの確立を実現するように構成されるクラスタＥＰＣを提供し、図３に示すように、第１のグループコールモジュール２１１と第２のグループコールモジュール２２１を含む。
【００７６】
第１のグループコールモジュール２１１は、スピーキングライトＵＥが所属している第１の基地局とグループコールコンテキストを確立するように構成される。
【００７７】
第２のグループコールモジュール２２１は、ノンスピーキングライトＵＥが所属している第２の基地局とグループコールコンテキストを確立するように構成される。
【００７８】
クラスタＥＰＣは、さらに、スピーキングライトＵＥとＲＲＣ接続を確立するように構成される第１のＲＲＣモジュール２３１を含む。
【００７９】
第１のグループコールモジュール２１１は、さらに、ＲＲＣ接続確立と同時に、生成されたグループコールコンテキスト確立要求メッセージを第１の基地局へ送信するように構成される。
【００８０】
第２のグループコールモジュール２２１は、さらに、ＲＲＣ接続確立と同時に、生成されたグループコールコンテキスト確立要求に応じて第２の基地局へグループコールページングメッセージを送信し、且つ第２の基地局から返されたグループコールページング応答メッセージを受信した後、生成されたグループコールコンテキスト確立要求メッセージを前記第２の基地局へ送信するように構成される。
【００８１】
第１のグループコールモジュール２１１又は第２のグループコールモジュール２２１は、さらに、第１の基地局又は第２の基地局から返されたグループコールコンテキスト確立応答メッセージを受信するように構成される。
【００８２】
また、前記第１のグループコールモジュール２１１、第２のグループコールモジュール２２１、第１のＲＲＣモジュール２３１が、いずれも、前記クラスタＥＰＣ中の中央処理装置（ＣＰＵ：Ｃｅｎｔｒａｌ  Ｐｒｏｃｅｓｓｉｎｇ  Ｕｎｉｔ）、マイクロ処理装置（ＭＰＵ：Ｍｉｃｒｏ  Ｐｒｏｃｅｓｓｉｎｇ  Ｕｎｉｔ）、デジタル信号処理装置（ＤＳＰ：Ｄｉｇｉｔａｌ  Ｓｉｇｎａｌ  Ｐｒｏｃｅｓｓｏｒ）又は、フィールド・プログラマブル・ゲート・アレイ（ＦＰＧＡ：Ｆｉｅｌｄ−Ｐｒｏｇｒａｍｍａｂｌｅ  Ｇａｔｅ  Ａｒｒａｙ）及び通信機能を持つハードウェアによって実現されることができる。
【００８３】
本発明の実施例ではさらに、基地局を提供し、図４に示すように、基地局は、スピーキングライトＵＥが所属している第１の基地局とノンスピーキングライトＵＥが所属している第２の基地局に分けられる。
【００８４】
第１の基地局１１は、クラスタＥＰＣとグループコールコンテキストを確立するように構成される第３のグループコールモジュール１１１を含む。
【００８５】
第２の基地局１２は、クラスタＥＰＣとグループコールコンテキストを確立するように構成される第４のグループコールモジュール１２１を含む。
【００８６】
第１の基地局１１は、さらに、スピーキングライトＵＥとＲＲＣ接続を確立するように構成される第２のＲＲＣモジュール１１２を含む。
【００８７】
第３のグループコールモジュール１１１は、さらに、前記ＲＲＣ接続確立と同時に、クラスタＥＰＣから送信されたグループコールコンテキスト確立要求メッセージを受信するように構成される。
【００８８】
第４のグループコールモジュール１２１は、さらに、前記ＲＲＣ接続確立と同時に、クラスタＥＰＣから送信されたグループコールページングメッセージを受信し、グループコールページングメッセージを受信した後、第２の基地局１２のカバレッジ内でグループコールページングメッセージをブロードキャストし、且つノンスピーキングライトＵＥから返されたグループコールページング応答メッセージを受信した後、前記クラスタＥＰＣへグループコールページング応答メッセージを送信するように構成され、さらに、前記クラスタＥＰＣがグループコールページング応答メッセージを受信した後、グループコールコンテキスト確立要求メッセージを送信するように構成される。
【００８９】
第３のグループコールモジュール１１１又は第４のグループコールモジュール１２１は、クラスタＥＰＣから送信されたグループコールコンテキスト確立要求メッセージを受信した後、クラスタグループコールサービスチャネルリソースを確立し、同時に、対応するグループコール無線アクセスベアラを確立し、クラスタグループコールサービスチャネルリソースの確立を完了した後、クラスタグループコールサービスチャネルリソースを介してグループコール構成メッセージをブロードキャストし、同時に、前記クラスタＥＰＣへグループコールコンテキスト確立応答メッセージを送信するように構成される。
【００９０】
また、前記第３のグループコールモジュール１１１、第２のＲＲＣモジュール１１２が、いずれも、第１の基地局１１中のＣＰＵ、ＭＰＵ、ＤＳＰ又はＦＰＧＡ、及び通信機能を持つハードウェアによって実現されることができる。
【００９１】
前記第４のグループコールモジュール１２１は、第２の基地局１２中のＣＰＵ、ＭＰＵ、ＤＳＰ又はＦＰＧＡ、及び通信機能を持つハードウェアによって実現されることができる。
【００９２】
以上は、本発明の最適的な実施例に過ぎなく、本発明の保護範囲を制限するためのものではない。
【図１】
2016504878.tif 000003
【図２】
2016504878.tif 000004
【図３】
2016504878.tif 000005
【図４】
2016504878.tif 000006
【手続補正書】
【提出日】平成27年7月7日(2015.7.7)
【手続補正１】
【補正対象書類名】特許請求の範囲
【補正対象項目名】全文
【補正方法】変更
【補正の内容】
【特許請求の範囲】
【請求項１】
グループコールコンテキストを確立する方法であって、
クラスタ進化型パケットコア（ＥＰＣ）とスピーキングライトＵＥが所属している第１の基地局との間でグループコールコンテキストを確立するステップと、
クラスタＥＰＣとノンスピーキングコールＵＥが所属している第２の基地局との間でグループコールコンテキストを確立するステップとを含む、方法。
【請求項２】
前記クラスタＥＰＣとスピーキングライトＵＥが所属している第１の基地局との間でグループコールコンテキストを確立する前に、前記スピーキングライトＵＥが、それぞれ前記第１の基地局とクラスタＥＰＣとの間で、ＲＲＣ接続を確立すると同時に、クラスタＥＰＣが、生成されたグループコールコンテキスト確立要求メッセージを前記第１の基地局へ送信するステップ、又は、
前記クラスタＥＰＣとノンスピーキングライトＵＥが所属している第２の基地局との間でグループコールコンテキストを確立する前に、
前記スピーキングライトＵＥが、それぞれ前記第１の基地局とクラスタＥＰＣとの間で、ＲＲＣ接続を確立すると同時に、クラスタＥＰＣが、生成されたグループコールコンテキスト確立要求に応じて第２の基地局へグループコールページングメッセージを送信するステップと、
第２の基地局がグループコールページングメッセージを受信した後、自身のカバレッジ内で前記グループコールページングメッセージをブロードキャストするステップと、
第２の基地局のカバレッジ内のノンスピーキングライトＵＥが、グループコールページングメッセージを受信した後、第２の基地局へグループコールページング応答メッセージを返すステップと、
第２の基地局が第１通目のグループコールページング応答メッセージを受信した後、クラスタＥＰＣへグループコールページング応答メッセージを返すステップと、
クラスタＥＰＣがグループコールページング応答メッセージを受信した後、対応する第２の基地局へ前記グループコールコンテキスト確立要求メッセージを送信するステップとを含むことを特徴とする
請求項１に記載の方法。
【請求項３】
前記クラスタＥＰＣとスピーキングライトＵＥが所属している第１の基地局との間でグループコールコンテキストを確立するステップ、又は、前記クラスタＥＰＣとノンスピーキングライトＵＥが所属している第２の基地局との間でグループコールコンテキストを確立するステップは、
第１の基地局又は第２の基地局が前記グループコールコンテキスト確立要求メッセージを受信した後、クラスタグループコールサービスチャネルリソースを確立し、同時に、対応するグループコール無線アクセスベアラを確立するステップと、
第１の基地局又は第２の基地局がクラスタグループコールサービスチャネルリソースの確立を完了した後、クラスタグループコールサービスチャネルリソースを介してグループコール構成メッセージをブロードキャストし、同時に、クラスタＥＰＣへグループコールコンテキスト確立応答メッセージを返し、グループコールコンテキスト確立を完了するステップとを含むことを特徴とする
請求項２に記載の方法。
【請求項４】
前記グループコールコンテキスト確立要求メッセージで運ばれるグループコールコンテキスト内容は、グループコールＩＤ、グループコールモード、グループコール収束最大伝送ビットレート、グループコール無線アクセスベアラリスト、グループコールセキュリティ機能及びグループコールセキュリティキーを有し、
前記グループコール無線アクセスベアラリストは、グループコール無線アクセスベアラＩＤ、サービス品質パラメータ、トランスポート層アドレス、ユニバーサルデータ伝送プラットフォーム（ＧＴＰ）トンネルＩＤ、サービスベアラタイプ及び非アクセス層（ＮＡＳ）パケットを含むことを特徴とする
請求項３に記載の方法。
【請求項５】
前記グループコールコンテキスト確立応答メッセージは、前記グループコールＩＤ、グループコール無線アクセスベアラ確立成功リスト及び／又はグループコール無線アクセスベアラ確立失敗リストを含み、
前記グループコールアクセスベアラ確立成功リストは、グループコール無線アクセスベアラＩＤ、トランスポート層アドレス、及びＧＴＰトンネルＩＤを含み、
前記グループコール無線アクセスベアラ確立失敗リストは、グループコール無線アクセスベアラＩＤ、及び失敗原因を含むことを特徴とする
請求項４に記載の方法。
【請求項６】
グループコールコンテキストを確立するシステムであって、
基地局とクラスタＥＰＣとＵＥを含み、
前記基地局が第１の基地局と第２の基地局を含み、前記第１の基地局は、スピーキングライトＵＥが所属している基地局であり、前記第２の基地局は、ノンスピーキングライトＵＥが所属している基地局であり、
前記クラスタＥＰＣは、前記第１の基地局とグループコールコンテキストを確立するように構成され、さらに、前記第２の基地局とグループコールコンテキストを確立するように構成され、
前記ＵＥは、スピーキングライトＵＥとノンスピーキングライトＵＥを含み、
前記スピーキングライトＵＥは、それぞれ前記第１の基地局とクラスタＥＰＣとの間でＲＲＣ接続を確立するように構成される、システム。
【請求項７】
前記クラスタＥＰＣは、さらに、前記ＲＲＣ接続確立と同時に、生成されたグループコールコンテキスト確立要求メッセージを前記第１の基地局へ送信するように構成される、又は、さらに、前記ＲＲＣ接続確立と同時に、生成されたグループコールコンテキスト確立要求メッセージに応じて前記第２の基地局へグループコールページングメッセージを送信するように構成され、
前記第２の基地局は、さらに、グループコールページングメッセージを受信した後、自身のカバレッジ内で前記グループコールページングメッセージをブロードキャストするように構成され、
前記ノンスピーキングライトＵＥは、さらに、グループコールページングメッセージを受信した後、前記第２の基地局へグループコールページング応答メッセージを返すように構成され、
前記第２の基地局は、さらに、第１通目のグループコールページング応答メッセージを受信した後、前記クラスタＥＰＣへグループコールページング応答メッセージを返すように構成され、
前記クラスタＥＰＣは、さらに、グループコールページング応答メッセージを受信した後、前記第２の基地局へ前記グループコールコンテキスト確立要求メッセージを送信するように構成されることを特徴とする
請求項６に記載のシステム。
【請求項８】
前記第１の基地局又は第２の基地局は、さらに、前記グループコールコンテキスト確立要求メッセージを受信した後、クラスタグループコールサービスチャネルリソースを確立し、同時に、対応するグループコール無線アクセスベアラを確立し、且つクラスタグループコールサービスチャネルリソースの確立を完了した後、クラスタグループコールサービスチャネルリソースを介してグループコール構成メッセージをブロードキャストし、同時に、クラスタＥＰＣへグループコールコンテキスト確立応答メッセージを返し、グループコールコンテキスト確立を完了するように構成されることを特徴とする
請求項７に記載のシステム。
【請求項９】
クラスタＥＰＣであって、
第１のグループコールモジュールと第２のグループコールモジュールを含み、
前記第１のグループコールモジュールは、スピーキングライトＵＥが所属している第１の基地局とグループコールコンテキストを確立するように構成され、
前記第２のグループコールモジュールは、ノンスピーキングライトＵＥが所属している第２の基地局とグループコールコンテキストを確立するように構成される、クラスタＥＰＣ。
【請求項１０】
前記第１のグループコールモジュールは、さらに、前記クラスタＥＰＣが前記スピーキングライトＵＥとＲＲＣ接続を確立すると同時に、生成されたグループコールコンテキスト確立要求メッセージを前記第１の基地局へ送信するように構成される、又は、
前記第２のグループコールモジュールは、さらに、前記クラスタＥＰＣが前記スピーキングライトＵＥとＲＲＣ接続を確立すると同時に、生成されたグループコールコンテキスト確立要求に応じて前記第２の基地局へグループコールページングメッセージを送信し、且つ第２の基地局から返されたグループコールページング応答メッセージを受信した後、生成されたグループコールコンテキスト確立要求メッセージを前記第２の基地局へ送信するように構成されることを特徴とする
請求項９に記載のクラスタＥＰＣ。
【請求項１１】
前記第１のグループコールモジュール又は第２のグループコールモジュールは、さらに、前記第１の基地局又は第２の基地局から返されたグループコールコンテキスト確立応答メッセージを受信するように構成されることを特徴とする
請求項１０に記載のクラスタＥＰＣ。
【請求項１２】
基地局であって、
スピーキングライトＵＥが所属している第１の基地局とノンスピーキングライトＵＥが所属している第２の基地局に分けられ、
前記第１の基地局は、クラスタＥＰＣとグループコールコンテキストを確立するように構成される第３のグループコールモジュールを含み、
前記第２の基地局は、クラスタＥＰＣとグループコールコンテキストを確立するように構成される第４のグループコールモジュールを含む、基地局。
【請求項１３】
前記第１の基地局は、さらに、前記スピーキングライトＵＥとＲＲＣ接続を確立するように構成される第２のＲＲＣモジュールを含むことを特徴とする
請求項１２に記載の基地局。
【請求項１４】
前記第３のグループコールモジュールは、さらに、前記ＲＲＣ接続確立と同時に、クラスタＥＰＣから送信されたグループコールコンテキスト確立要求メッセージを受信するように構成される、又は、
前記第４のグループコールモジュールは、さらに、前記ＲＲＣ接続確立と同時に、前記クラスタＥＰＣから送信されたグループコールページングメッセージを受信し、グループコールページングメッセージを受信した後、前記第２の基地局のカバレッジ内で前記グループコールページングメッセージをブロードキャストし、且つノンスピーキングライトＵＥから返されたグループコールページング応答メッセージを受信した後、前記クラスタＥＰＣへグループコールページング応答メッセージを送信するように構成され、さらに、前記クラスタＥＰＣがグループコールページング応答メッセージを受信した後、グループコールコンテキスト確立要求メッセージを送信するように構成されることを特徴とする
請求項１３に記載の基地局。
【請求項１５】
前記第３のグループコールモジュール又は第４のグループコールモジュールは、前記クラスタＥＰＣから送信されたグループコールコンテキスト確立要求メッセージを受信した後、クラスタグループコールサービスチャネルリソースを確立し、同時に、対応するグループコール無線アクセスベアラを確立し、クラスタグループコールサービスチャネルリソースの確立を完了した後、クラスタグループコールサービスチャネルリソースを介してグループコール構成メッセージをブロードキャストし、同時に、前記クラスタＥＰＣへグループコールコンテキスト確立応答メッセージを送信するように構成されることを特徴とする
請求項１４に記載の基地局。
【国際調査報告】
2016504878.tif 000007
2016504878.tif 000008
2016504878.tif 000009
2016504878.tif 000010